(57)【特許請求の範囲】
【請求項１】
本体と、
この本体の先端部を覆うように前記本体に取り付けられた払拭体と、
前記本体の先端部の縁部に取り付けられ、外方に露出したブラシと、を備え、
前記本体は、先端部から後端部に至るまで全体に亘って薄板状であり、
前記薄板状は、幅Ｗ、肉厚ｔの帯状であり、
前記払拭体は、偏平状であり、
側面視、前記ブラシは、前記本体の前記肉厚ｔ（Ｗ＞ｔ）の寸法内に位置していると
共に、前記払拭体の一方の表面とこの一方の表面と反対側の表面との間の寸法内に位置し
ている
ことを特徴とする隙間清掃具。
【発明の詳細な説明】
【技術分野】
【０００１】
本発明は、隙間清掃具に係り、特に、使用勝手を良好にして、簡易且つ迅速に清掃す
ることができる隙間清掃具に関する。
【背景技術】
【０００２】
従来、シャワートイレのノズル周辺の汚れを清掃するために使用される清掃具として、例えば、先端にブラシ、該ブラシから離間した位置にスポンジを有したものがある。
【発明の概要】
【発明が解決しようとする課題】
【０００３】
ところが、上記従来の清掃具にあっては、シャワートイレのノズル周辺の汚れをブラシで掻き落とし、掻き落とした汚れ、掻き落としきれず残存する汚れ等をブラシから離間した位置にあるスポンジで拭き取るため、離間した分、使用勝手が悪く、特に、清掃する場所が小さい隙間の場合、前記隙間にブラシを入れることができても、前記隙間にスポンジが入らず、使用勝手が悪く、簡易且つ迅速に清掃することができないという問題点が生じた。
【０００４】
本発明は、上記の点を考慮したなされた清掃具を提供することを目的とする。
【課題を解決するための手段】
【０００５】
請求項１記載の隙間清掃具は、本体と、この本体の先端部を覆うように前記本体に取
り付けられた払拭体と、前記本体の先端部の縁部に取り付けられ、外方に露出したブラシ
と、を備え、前記本体は、先端部から後端部に至るまで全体に亘って薄板状であり、前記
薄板状は、幅Ｗ、肉厚ｔの帯状であり、前記払拭体は、偏平状であり、側面視、前記ブラ
シは、前記本体の前記肉厚ｔ（Ｗ＞ｔ）の寸法内に位置していると共に、前記払拭体の一
方の表面とこの一方の表面と反対側の表面との間の寸法内に位置しているものである。
【発明の効果】
【００１２】
請求項１記載の隙間清掃具によれば、シャワートイレのノズル周辺の汚れをブラシで
掻き落とし、掻き落とした汚れ、掻き落としきれず残存する汚れ等は、ブラシの近傍にあ
る払拭体で払拭することができ、特に、清掃する場所が小さい隙間の場合、前記隙間にブ
ラシを入れることができれば、ブラシで汚れを掻き落とし、掻き落とした汚れ、掻き落と
しきれず残存する汚れ等は、ブラシの近傍にある払拭体で払拭することができ、使用勝手
を良好にして、簡易且つ迅速に清掃することができる。また、本体は、先端部から後端部
に至るまで全体に亘って薄板状であるため、清掃する場所が小さい隙間の場合、前記隙間
にブラシを入れ易くして、前記隙間周辺を清掃することができる。
【図面の簡単な説明】
【００１７】
【図１】図１は、本発明の一実施例の隙間清掃具の概略的正面図である。
【図２】図２は、図１の概略的右側面図である。
【図３】図３は、図１の隙間清掃具に払拭体を取り付ける前の状態の概略的正面図で    ある    。
【図４】図４は、図１乃至図３記載の隙間清掃具と異なる他の実施例の隙間清掃具の    概略的正面図である。
【図５】図５は、図４の概略的右側面図である。
【図６】図６は、図４の隙間清掃具に払拭体を取り付ける前の状態の概略的正面図で    ある。
【図７】図７は、図４乃至図６記載の隙間清掃具と異なる他の実施例の隙間清掃具の    概略的正面図である。
【図８】図８は、図７の概略的右側面図である。
【図９】図９は、図７の隙間清掃具に払拭体を取り付ける前の状態の概略的正面図で    ある    。
【図１０】図１０は、図７の隙間清掃具と異なる他の実施例の隙間清掃具の装着状態    を示す概略的正面図である。
【発明を実施するための形態】
【００１８】
本発明の一実施例の隙間清掃具を図面（図１乃至図３）を参照して説明する。
図１乃至図３に示すＳは隙間清掃具で、隙間清掃具Ｓは、例えば、シャワートイレの
ノズル周辺の汚れを清掃するために使用されるものである。
【００１９】
隙間清掃具Ｓは、図３に示すように、本体１と、本体１の先端部１Ｘを覆うように本
体１に取り付けられた払拭体２とから、概略的に構成されている。
本体１は、例えば、薄板状をなし、合成樹脂で形成され、払拭体２は、例えば、布地
、不織布や合成樹脂シート等で形成されている。
払拭体２は、図３に示すように、略四角形状で、図１及び図２に示すように、本体１
の先端の前縁部１Ａを介して折り返され、本体１の先端部１Ｘを覆うように本体１に取り
付けられている。本体１への取り付けは、例えば、払拭体２の裏面に粘着材が塗布され、
払拭体２を本体１の先端部１Ｘの表裏を覆うようにして、本体１に取り付けられている。
払拭体２が本体１に粘着材により取り付けられているため、場合により、使用後、払
拭体２のみを外し、未使用の払拭体２を本体１に取り付けることもできる。
なお、本体１の先端の前縁部１Ａを介して折り返される払拭体２は、本体１の先端の
前縁部１Ａを覆って、本体１の先端の両側縁部１Ｂ、１Ｃに達する位置までの大きさであ
ればよいが、望ましくは、図１乃至図３に示すように、本体１の先端の前縁部１Ａ及び本
体１の先端の側縁部１Ｂよりも一回り大きくして、本体１の先端の前縁部１Ａ及び本体１
の先端の側縁部１Ｂを覆うようにして、本体１に取り付けられるようにした方が良い。
図３に示す２Ａ は、本体１の先端の前縁部１Ａに取り付ける際の折り返し部位であ
る。
【００２０】
また、図１乃至図３に示す３はブラシで、ブラシ３は、本体１の先端部１Ｘの縁部（例えば、本体１の長手方向に沿う縁部１Ｃ）に取り付けられ、外方に露出している。
取り付けは、例えば、本体１と一体成形で取り付けられている。なお、接着剤によりブラシ３を本体１に取り付けるようにしても良い。
また、本体１は薄板状であるため、清掃する場所が小さい隙間の場合、前記隙間にブラシ３を入れ易くして清掃することができ、しかも、本体１は本体１の先端部１Ｘが拡大した拡大部（１Ｘ）を有し、払拭体２は、拡大部（１Ｘ）を覆うように本体１に取り付けられているため、払拭体２の払拭面積の拡大を図って、汚れを多く払拭することができる。
【００２１】
従って、上述した隙間清掃具Ｓによれば、図示しないシャワートイレのノズル周辺の
汚れをブラシ３で掻き落とし、掻き落とした汚れ、掻き落としきれず残存する汚れ等は、
ブラシ３の近傍にある払拭体２で払拭することができ、特に、清掃する場所が小さい隙間
の場合、前記隙間にブラシ３を入れることができれば、ブラシ３で汚れを掻き落とし、掻
き落とした汚れ、掻き落としきれず残存する汚れ等は、ブラシ３の近傍にある払拭体２で
払拭することができ、使用勝手を良好にして、簡易且つ迅速に清掃することができる。
【００２２】
上述の実施例では、ブラシ３を本体１の長手方向に沿う縁部１Ｃ、より詳しくは、先端部１Ｘが拡大した拡大部１Ｘの側縁部１Ｃに取り付けたが、
本願発明は、これに限らず、例えば、図４乃至図６に示すように、ブラシ３を本体１の先端の前縁部１Ａ、より詳しくは、先端部１Ｘが拡大した拡大部１Ｘの前縁部１Ａに取り付けられるようにしても良い。
【００２３】
即ち、隙間清掃具Ｓは、図６に示すように、薄板状をなす本体１と、払拭体２とから
、概略的に構成されている。
本体１は、例えば、合成樹脂で形成され、払拭体２は、例えば、布地、不織布や合成
樹脂シート等で形成されている。
本体１の先端の前縁部１Ａには、ブラシ３が取り付けられている。取り付けは、上述
の実施例と同様、本体１と一体成形で取り付けられている。
なお、接着剤によりブラシ３を本体１に取り付けるようにしても良い。
払拭体２は、図６に示すように、略四角形状で、図４及び図５に示すように、本体１
の先端の両側縁部１Ｂ、１Ｃの内、何れか一の側縁部１Ｂを介して折り返され、ブラシ３
を除いて、本体１の先端部１Ｘを覆うように本体１に取り付けられている。
なお、本体１の先端の側縁部１Ｂを介して折り返される払拭体２は、本体１の先端の
両側縁部１Ｂ、１Ｃに達する位置までの大きさであればよいが、望ましくは、図４乃至図
６に示すように、本体１の先端の側縁部１Ｂ、１Ｃよりも一回り大きくして、本体１の先
端部１Ｘを覆うようにして、本体１に取り付けられるようにした方が良い。
図３に示す２Ｂ は、本体１の先端の側縁部１Ｂに取り付ける際の折り返し部位であ
る。
【００２４】
従って、上述した隙間清掃具Ｓによれば、上述した実施例と同様に、図示しないシャ
ワートイレのノズル周辺の汚れをブラシ３で掻き落とし、掻き落とした汚れ、掻き落とし
きれず残存する汚れ等は、ブラシ３の近傍にある払拭体２で払拭することができ、特に、
清掃する場所が小さい隙間の場合、前記隙間にブラシ３を入れることができれば、ブラシ
３で汚れを掻き落とし、掻き落とした汚れ、掻き落としきれず残存する汚れ等は、ブラシ
３の近傍にある払拭体２で払拭することができ、使用勝手を良好にして、簡易且つ迅速に
清掃することができる。
【００２５】
上述の実施例では、ブラシ３を本体１の先端の前縁部１Ａ、より詳しくは、先端部１Ｘが拡大した拡大部１Ｘの前縁部１Ａに取り付けられるようにしたが、
本願発明は、これに限らず、例えば、図７乃至図９に示すように、ブラシ３を本体１の先端角部がカットされた形状の部位１Ｄ、より詳しくは、先端部１Ｘが拡大した拡大部１Ｘであって、略四角形状の先端角部がカットされた形状の部位１Ｄに取り付けられるようにしても良い。
【００２６】
即ち、隙間清掃具Ｓは、図９に示すように、薄板状をなす本体１と、払拭体２とから
、概略的に構成されている。
本体１は、薄板状の先端角部がカットされた形状で、例えば、合成樹脂で形成され、
払拭体２は、例えば、布地、不織布や合成樹脂シート等で形成されている。
本体１の先端のカットされた形状の部位１Ｄにブラシ３が取り付けられている。取り
付けは、上述の実施例と同様、本体１と一体成形で取り付けられている。なお、接着剤に
よりブラシ３を本体１に取り付けるようにしても良い。
払拭体２は、図７及び図８に示すように、本体１の前縁部１Ａを介して折り返され、
ブラシ３を除いて、本体１の先端部１Ｘを覆うように本体１に取り付けられている。
なお、本体１の前縁部１Ａを介して折り返される払拭体２は、本体１の先端の両側縁
部１Ｂ、１Ｃに達する位置までの大きさであればよいが、望ましくは、図７乃至図８に示
すように、本体１の前縁部１Ａ，先端の側縁部１Ｂ、１Ｃよりも一回り大きくして、本体
１の先端部１Ｘを覆うようにして、本体１に取り付けられるようにした方が良い。
図９に示す２Ｃ は、本体１の前縁部１Ａに取り付ける際の折り返し部位である。
【００２７】
従って、上述した隙間清掃具Ｓによれば、上述した実施例と同様に、図示しないシャ
ワートイレのノズル周辺の汚れをブラシ３で掻き落とし、掻き落とした汚れ、掻き落とし
きれず残存する汚れ等は、ブラシ３の近傍にある払拭体２で払拭することができ、特に、
清掃する場所が小さい隙間の場合、前記隙間にブラシ３を入れることができれば、ブラシ
３で汚れを掻き落とし、掻き落とした汚れ、掻き落としきれず残存する汚れ等は、ブラシ
３の近傍にある払拭体２で払拭することができ、使用勝手を良好にして、簡易且つ迅速に
清掃することができる。
【００２８】
上述の実施例では、本体１は分割できない一体もので成形されているが、本願発明は、これに限らず、例えば、図１０に示すように、手で把持する把持部分の本体１に、払拭体２及びブラシ３が設けられた先端部１Ｘが着脱自在に取り付けられているようにしても良い。
このように、払拭体２及びブラシ３が設けられた先端部１Ｘが手で把持する把持部分の本体１に対して、着脱自在に取り付ければ、使用後、「使用済みの払拭体２及びブラシ３が設けられた先端部１Ｘ」を「未使用の払拭体２及びブラシ３が設けられた先端部１Ｘ」に取り替えて、使用することができる。
なお、図１０に示す１Ｍは係止部であり、１Ｎは係止部１Ｍに係止される被係止部である。
【符号の説明】
【００２９】
Ｓ      隙間清掃具
１      本体
１Ｘ    先端部
２      払拭体
３      ブラシ
【図１】
0006823912.tif 000002
【図２】
0006823912.tif 000003
【図３】
0006823912.tif 000004
【図４】
0006823912.tif 000005
【図５】
0006823912.tif 000006
【図６】
0006823912.tif 000007
【図７】
0006823912.tif 000008
【図８】
0006823912.tif 000009
【図９】
0006823912.tif 000010
【図１０】
0006823912.tif 000011